【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
物品のためのセキュリティデバイスであり、
磁気的に作動する係止機構（１０，１１０）と、
セキュリティタグ（２０）と、
フック要素（１８６）と、
前記セキュリティタグ（２０）及び前記磁気作動係止機構（１０，１１０）が結合するハウジング（３０，１３０）とを備え、
前記ハウジング（３０，１３０）は凹所（１３８）を有し、この凹所（１３８）は、前記フック要素（１８６）を受け入れるフック要素収容部分（１４４）と、物品を前記ハウジング（３０，１３０）に固定する包囲された物品収容部分（１４０）とを含み、
前記フック要素（１８６）は第１のアーム（２００）を有し、この第１のアーム（２００）はラッチ相手方要素（１８，１１８）を含み、
前記フック要素収容部分（１４４）は、前記フック要素（１８６）の第１のアーム（２００）を受け入れるシャフト（１４４）を含み、
前記フック要素（１８６）は第２のアーム（２０２）を含み、
前記フック要素収容部分（１４４）は、第２のアーム（２０２）を受け入れる更なるシャフト（１４４）を含み、
前記フック要素（１８６）はＵ字形状であるセキュリティデバイスにおいて、
前記ハウジング（３０，１３０）の前記凹所（１３８）は物品収容部分（１４０）を含み、この物品収容部分（１４０）は物品収容壁（１４２）により輪郭付けられており、且つ前記フック要素（１８６）により包囲されるようにＵ字形状であると共に、
前記ラッチ相手方要素（１８，１１８）は前記Ｕ字形状の前記フック要素（１８６）の外側向き面に配置されていることを特徴とするセキュリティデバイス。
【請求項２】
請求項１のセキュリティデバイスにおいて、前記ハウジング（３０，１３０）が下部ハウジング（１５０）を含み、且つ前記セキュリティタグ（２０）がこの下部ハウジング（１５０）内に配置されているセキュリティデバイス。
【請求項３】
請求項１のセキュリティデバイスにおいて、前記磁気作動係止機構（１０，１１０）がラッチ相手方要素（１８，１１８）を含み、且つ前記フック要素（１８６）が前記ラッチ相手方要素（１８，１１８）と一体的であるセキュリティデバイス。
【請求項４】
請求項１のセキュリティデバイスにおいて、前記セキュリティタグ（２０）が一つ以上の線形アモルファス共鳴器と磁化バイアスとを含むセキュリティデバイス。
【請求項５】
請求項１のセキュリティデバイスにおいて、前記磁気作動係止機構（１０，１１０）が、磁気作動ラッチ（１２，１１２）と、可撓要素（１６，１１６）と、ラッチ相手方要素（１８，１１８）とを含むセキュリティデバイス。
【請求項６】
請求項１のセキュリティデバイスにおいて、前記フック要素（１８６）が前記ハウジング（３０，１３０）に対して回動自在に取り付けられているセキュリティデバイス。
【請求項７】
請求項１のセキュリティデバイスにおいて、前記フック要素（１８６）が前記ハウジング（３０，１３０）と一体的であるセキュリティデバイス。
【請求項８】
請求項１のセキュリティデバイスにおいて、前記フック要素（１８６）が前記ハウジング（３０，１３０）に対して可動に取り付けられているセキュリティデバイス。
【請求項９】
請求項１のセキュリティデバイスにおいて、前記フック要素（１８６）が前記ハウジング（３０，１３０）に対して可動に取り付けられていることにより、前記フック要素（１８６）は、このフック要素（１８６）が前記凹所（１３８）の前記物品収容部分（１４０）を包囲する位置と、前記フック要素（１８６）が前記凹所（１３８）の前記物品収容部分（１４０）を露呈させる位置との間で可動であるセキュリティデバイス。
【請求項１０】
請求項５のセキュリティデバイスにおいて、前記可撓要素（１６，１１６）と前記磁気作動ラッチ（１２，１１２）とが単体に組み合わされているセキュリティデバイス。
【請求項１１】
請求項５のセキュリティデバイスにおいて、前記ハウジング（３０，１３０）はチャンネル（３）を含み、前記磁気作動ラッチ（１２，１１２）と前記可撓要素（１６，１１６）とは少なくとも部分的に前記チャンネル内に配設されているセキュリティデバイス。
【請求項１２】
請求項５のセキュリティデバイスにおいて、前記ラッチ相手方要素（１６，１１６）が前記フック要素（１８６）と一体的であるセキュリティデバイス。
【請求項１３】
請求項１２のセキュリティデバイスにおいて、前記ハウジング（３０，１３０）が凹所（１３８）を含み、前記フック要素（１８６）は前記凹所（１３８）内に位置決めすることにより前記ハウジング（３０，１３０）に結合されて、前記ラッチ相手方要素（１８，１１８）が係止位置において前記磁気作動ラッチ（１２，１１２）に係合するセキュリティデバイス。
【請求項１４】
請求項５のセキュリティデバイスにおいて、前記ラッチ相手方要素（１８，１１８）が少なくとも一つの空隙（１９０）を含むセキュリティデバイス。
【請求項１５】
請求項１４のセキュリティデバイスにおいて、前記可撓要素（１６，１１６）は、前記磁気作動ラッチに隣接して配置されて、前記磁気作動ラッチ（１２，１２２）を、その少なくとも一部が前記空隙へ延伸する係止位置へ向かって偏倚させるセキュリティデバイス。
【請求項１６】
請求項５のセキュリティデバイスにおいて、前記磁気作動ラッチ（１２，１２２）が、前記ラッチ相手方要素（１８，１１８）と嵌合するように少なくとも一つの突起（１８０）を含むセキュリティデバイス。
【請求項１７】
請求項１６のセキュリティデバイスにおいて、前記少なくとも一つの突起（１８０）が少なくとも一つの歯（１８３，１８４）を含むセキュリティデバイス。
【請求項１８】
請求項５のセキュリティデバイスにおいて、前記ラッチ相手方要素（１８，１１８）が貫通可能な材料を含むセキュリティデバイス。
【請求項１９】
請求項５のセキュリティデバイスにおいて、前記磁気作動ラッチ（１２，１２２）が前記可撓要素（１６，１１６）と前記ラッチ相手方要素（１８、１１８）との間に配置されるセキュリティデバイス。
【請求項２０】
請求項１のセキュリティデバイスにおいて、前記磁気作動ラッチ（１２，１２２）は磁力により係止位置から遠ざかるセキュリティデバイス。
【請求項２１】
請求項２０のセキュリティデバイスにおいて、前記磁気作動ラッチ（１２，１２２）は実質的に直線方向へ移動するセキュリティデバイス。
【請求項２２】
請求項２０のセキュリティデバイスにおいて、前記磁気作動ラッチ（１２，１２２）が実質的に回転方向へ移動するセキュリティデバイス。
【請求項２３】
請求項２０のセキュリティデバイスにおいて、前記磁気作動ラッチ（１２，１２２）が回転と直線との組み合わせ方向に移動するセキュリティデバイス。 
【請求項２４】
請求項８のセキュリティデバイスにおいて、前記セキュリティデバイスは、物品を収容するための凹所（１３８）を更に備えると共に、前記フック要素（１８６）は、前記フック要素が前記凹所（１３８）を包囲する位置と、前記フック要素（１８６）が前記凹所（１３８）を露呈させる位置との間で移動するように、前記ハウジング（３０，１３０）に可動に取り付けられているセキュリティデバイス。
【請求項２５】
請求項１のセキュリティデバイスを備えるセキュリティデバイスシステムであり、
セキュリティデバイス（２）を係止解除する分離器（４０）を含み、この分離器（４０）は磁石（４２）を含むセキュリティデバイスシステム。
【手続補正２】
【補正対象書類名】図面
【補正対象項目名】図２
【補正方法】変更
【補正の内容】
【図２】
2008545928.tif 000001
【手続補正３】
【補正対象書類名】図面
【補正対象項目名】図３
【補正方法】変更
【補正の内容】
【図３】
2008545928.tif 000002
【手続補正４】
【補正対象書類名】図面
【補正対象項目名】図４
【補正方法】変更
【補正の内容】
【図４】
2008545928.tif 000003
【手続補正５】
【補正対象書類名】図面
【補正対象項目名】図５
【補正方法】変更
【補正の内容】
【図５】
2008545928.tif 000004
【手続補正６】
【補正対象書類名】図面
【補正対象項目名】図６
【補正方法】変更
【補正の内容】
【図６】
2008545928.tif 000005
【手続補正７】
【補正対象書類名】図面
【補正対象項目名】図７
【補正方法】変更
【補正の内容】
【図７】
2008545928.tif 000006
【手続補正８】
【補正対象書類名】図面
【補正対象項目名】図８
【補正方法】変更
【補正の内容】
【図８】
2008545928.tif 000007
【手続補正９】
【補正対象書類名】図面
【補正対象項目名】図９
【補正方法】変更
【補正の内容】
【図９】
2008545928.tif 000008
【手続補正１０】
【補正対象書類名】図面
【補正対象項目名】図１０
【補正方法】変更
【補正の内容】
【図１０】
2008545928.tif 000009
【手続補正１１】
【補正対象書類名】図面
【補正対象項目名】図１１
【補正方法】変更
【補正の内容】
【図１１】
2008545928.tif 000010
【手続補正１２】
【補正対象書類名】図面
【補正対象項目名】図１２
【補正方法】変更
【補正の内容】
【図１２】
2008545928.tif 000011
【手続補正１３】
【補正対象書類名】図面
【補正対象項目名】図１３
【補正方法】変更
【補正の内容】
【図１３】
2008545928.tif 000012
【手続補正１４】
【補正対象書類名】図面
【補正対象項目名】図１４
【補正方法】変更
【補正の内容】
【図１４】
2008545928.tif 000013
【手続補正１５】
【補正対象書類名】図面
【補正対象項目名】図１５
【補正方法】変更
【補正の内容】
【図１５】
2008545928.tif 000014
【手続補正１６】
【補正対象書類名】図面
【補正対象項目名】図１６
【補正方法】変更
【補正の内容】
【図１６】
2008545928.tif 000015
【手続補正１７】
【補正対象書類名】図面
【補正対象項目名】図１７
【補正方法】変更
【補正の内容】
【図１７】
2008545928.tif 000016
【手続補正１８】
【補正対象書類名】図面
【補正対象項目名】図１８
【補正方法】変更
【補正の内容】
【図１８】
2008545928.tif 000017
【手続補正１９】
【補正対象書類名】図面
【補正対象項目名】図１９
【補正方法】変更
【補正の内容】
【図１９】
2008545928.tif 000018
【手続補正２０】
【補正対象書類名】図面
【補正対象項目名】図２０
【補正方法】変更
【補正の内容】
【図２０】
2008545928.tif 000019
【手続補正２１】
【補正対象書類名】図面
【補正対象項目名】図２１Ａ
【補正方法】変更
【補正の内容】
【図２１Ａ】
2008545928.tif 000020
【手続補正２２】
【補正対象書類名】図面
【補正対象項目名】図２１Ｂ
【補正方法】変更
【補正の内容】
【図２１Ｂ】
2008545928.tif 000021
【手続補正２３】
【補正対象書類名】図面
【補正対象項目名】図２２Ａ
【補正方法】変更
【補正の内容】
【図２２Ａ】
2008545928.tif 000022
【手続補正２４】
【補正対象書類名】図面
【補正対象項目名】図２２Ｂ
【補正方法】変更
【補正の内容】
【図２２Ｂ】
2008545928.tif 000023
【手続補正２５】
【補正対象書類名】図面
【補正対象項目名】図２４Ａ
【補正方法】変更
【補正の内容】
【図２４Ａ】
2008545928.tif 000024
【手続補正２６】
【補正対象書類名】図面
【補正対象項目名】図２４Ｂ
【補正方法】変更
【補正の内容】
【図２４Ｂ】
2008545928.tif 000025